(57)【特許請求の範囲】
【請求項１】
遊技盤が配設される本体枠と、前記本体枠の前側に設けられて該本体枠に対して開閉可能な開閉部材と、前記遊技盤の遊技領域へ向けて発射される遊技球を貯留する球受け皿と、前記遊技盤に設けられた入賞口への入賞を契機として払出される遊技球を前記球受け皿に案内する賞球払出し通路と、前記遊技盤の遊技領域へ向けて発射されて該遊技領域に到達しない遊技球を前記球受け皿に案内するファール球回収通路とを備えた遊技機において、
前記賞球払出し通路への遊技球の滞留状態に対応した作動位置および該賞球払出し通路を遊技球が通過可能な状態に対応した待機位置に変位する第１作動部と、
前記ファール球回収通路に対する遊技球の滞留状態に対応した作動位置および該ファール球回収通路を遊技球が通過可能な状態に対応した待機位置に変位する第２作動部と、
前記本体枠に対する前記開閉部材の開放状態に対応した作動位置および該本体枠に対する開閉部材の閉鎖状態に対応する待機位置に変位する第３作動部と、
前記第１作動部の待機位置から作動位置への変位、第２作動部の待機位置から作動位置への変位および第３作動部の待機位置から作動位置への変位を検出する単一の検出手段とを備えた
ことを特徴とする遊技機。
【請求項２】
前記第３作動部は、前記第１作動部および第２作動部に対して作動位置および待機位置へ独立して変位し得るよう構成された請求項１記載の遊技機。
【請求項３】
前記第１〜第３作動部の何れか１つが作動位置にある状態では、他の作動部の作動位置への変位が規制される請求項１または２記載の遊技機。
【請求項４】
前記第１〜第３作動部の夫々は、常には待機位置に保持されて、前記賞球払出し通路への遊技球の滞留に伴って前記第１作動部が作動位置に変位して前記検出手段で検出され、前記ファール球回収通路への遊技球の滞留に伴って前記第２作動部が作動位置に変位して前記検出手段で検出されると共に、前記開閉部材の開放に伴って前記第３作動部が作動位置に変位して前記検出手段で検出されるよう構成された請求項１〜３の何れか一項に記載の遊技機。
【発明の詳細な説明】
【技術分野】
【０００１】
この発明は、遊技盤が配設された本体枠の前側に、開閉部材を開閉可能に備えると共に、遊技球を貯留可能な球受け皿を備えた遊技機に関するものである。
【背景技術】
【０００２】
例えば遊技機の代表例の一つであるパチンコ機は、特許文献１に記載されるように、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護する装飾枠としての前枠とを基本的に備えている。この遊技盤には、各種入賞装置や図柄表示装置等が機種に応じて配設されており、パチンコ機(中枠)の前面側に設けられた球受け皿に貯留されたパチンコ球を、遊技盤の遊技領域に打ち出すことで所要の遊技が行われる。そして、遊技盤に配設された各種の入賞装置にパチンコ球が入賞することで、パチンコ機の裏側に配設された球払出装置により所定数のパチンコ球が前記球受け皿に賞球として払出されて、遊技者側に還元されるようになっている。
【０００３】
ここで、パチンコ機には、前記遊技盤の遊技領域に打ち出されるパチンコ球を貯留する上球受け皿を備えると共に該上球受け皿の下方に下球受け皿を備えた上下球受け皿分離タイプのものや、前記上球受け皿に相当する球受け皿のみを備えた上下球受け皿一体タイプのものが広く知られている。例えば、特許文献２に記載されるように、上下球受け皿分離タイプのパチンコ機では、賞球等のパチンコ球が前記上球受け皿に供給されて、該上球受け皿の貯留許容量を超えると、前記中枠等に形成された球通路を介してパチンコ球が下球受け皿に誘導されるようになっている。そして、前記下球受け皿に付設された球抜き装置を遊技者が操作することで、下球受け皿に貯留されたパチンコ球を遊技店に備えられた球箱等に移し替えるようになっている。なお、上下球受け皿一体タイプのパチンコ機であっても基本的には同様の構成とされ、上球受け皿に相当する球受け皿に付設された球抜き装置を遊技者が操作することで、該球受け皿から球箱等に直接パチンコ球を移し替え得るよう構成される。
【先行技術文献】
【特許文献】
【０００４】
【特許文献１】特開２００２−３５３４９号公報
【特許文献２】特開平５−６４６７５号公報
【発明の概要】
【発明が解決しようとする課題】
【０００５】
ところで、大当り時のように多数の賞球が短時間で払出された場合には、前記球受け皿が満杯になり、入りきらないパチンコ球が球通路内に次第に滞留することがある。ここで、球通路内にパチンコ球が滞留した状態で賞球等の払出しが行われると、球詰まり等の不具合が生ずる虞がある。このため、パチンコ球の滞留量を検出する満杯検出用の検出手段を設けて、パチンコ球が一定量を超えて滞留した際に、球払出装置の動作を停止するよう構成されている。また、パチンコ機は、前述のように前記前枠は各種入賞装置を備えた遊技盤を透視保護しており、該前枠を不正に開放して不正行為が行われる可能性があることから、該前枠の開放を検出する検出センサを設けて、該開放検出用の検出センサの検出時に球払出装置の動作を停止するよう構成されている。このように、球払出装置の動作停止という共通の動作を行なわせるために、前記球受け皿の満杯検出用の検出手段と、前記前枠の開放検出用の検出手段とが個別に配設されており、コストの増大を招来すると共に、検出手段の設置スペースが嵩む問題が指摘される。
【０００６】
そこで本発明は、従来の技術に内在する前記問題に鑑み、これらを好適に解決するべく提案されたものであって、球受け皿の満杯を検出する検出手段と、本体枠に対する開閉部材の開放を検出する検出手段とを共通化し得る遊技機を提供することを目的とする。
【課題を解決するための手段】
【０００７】
前記課題を解決し、所期の目的を達成するため、本願の請求項１に係る発明は、
遊技盤(20)が配設される本体枠(13)と、前記本体枠(13)の前側に設けられて該本体枠(13)に対して開閉可能な開閉部材(14)と、前記遊技盤(20)の遊技領域(20a)へ向けて発射される遊技球を貯留する球受け皿(17a)と、前記遊技盤(20)に設けられた入賞口への入賞を契機として払出される遊技球を前記球受け皿(17a)に案内する賞球払出し通路(75)と、前記遊技盤(20)の遊技領域(20a)へ向けて発射されて該遊技領域(20a)に到達しない遊技球を前記球受け皿(17a)に案内するファール球回収通路(80)とを備えた遊技機において、
前記賞球払出し通路(75)への遊技球の滞留状態に対応した作動位置および該賞球払出し通路(75)を遊技球が通過可能な状態に対応した待機位置に変位する第１作動部(92)と、
前記ファール球回収通路(80)に対する遊技球の滞留状態に対応した作動位置および該ファール球回収通路(80)を遊技球が通過可能な状態に対応した待機位置に変位する第２作動部(93)と、
前記本体枠(13)に対する前記開閉部材(14)の開放状態に対応した作動位置および該本体枠(13)に対する開閉部材(14)の閉鎖状態に対応する待機位置に変位する第３作動部(110)と、
前記第１作動部(92)の待機位置から作動位置への変位、第２作動部(93)の待機位置から作動位置への変位および第３作動部(110)の待機位置から作動位置への変位を検出する単一の検出手段(98)とを備えたことを要旨とする。
このように、入賞口への入賞を契機として払出される遊技球(賞球)が賞球払出し通路に滞留するのに伴う第１作動部の作動位置への変位と、本体枠に対する開閉部材の開閉に応じた第３作動部の作動位置への変位とを、単一の検出手段で検出するようにしたことで、１つの検出手段で球受け皿の満杯と、本体枠に対する開閉部材の開放とを検出することができる。更に、前記検出手段は、遊技領域に到達しない遊技球(ファール球)がファール球回収通路に滞留するのに伴う第２作動部の作動位置への変位も検出するよう構成したことで、球受け皿に過剰な遊技球が滞留するのを防止し得る。
【０００８】
請求項２に係る発明は、
前記第３作動部(110)は、前記第１作動部(92)および第２作動部(93)に対して作動位置および待機位置へ独立して変位し得るよう構成されたことを要旨とする。
このように、第１および第２作動部に対して開閉部材の開放検出用の第３作動部を独立して変位するよう構成することで、本体枠に対する開閉部材の開放を正確に検出することができる。
【０００９】
請求項３に係る発明は、
前記第１〜第３作動部(92,93,110)の何れか１つが作動位置にある状態では、他の作動部の作動位置への変位が規制されることを要旨とする。
このように、前記第１〜第３作動部の何れか一つが作動位置にある状態で、他の作動部の作動位置への変位が規制されることで、該第１〜第３作動部が重複して検出されるのを防止できる。しかも、作動位置にあった作動部が待機位置へ変位することで、他の作動部が作動位置へ変位し得るから、第１〜第３作動部の状態を確実に検出手段で検出することができる。
【００１０】
請求項４に係る発明は、
前記第１〜第３作動部(92,93,110)の夫々は、常には待機位置に保持されて、前記ファール球回収通路(80)への遊技球の滞留に伴って前記第１作動部(92)が作動位置に変位して前記検出手段(98)で検出され、前記ファール球回収通路(80)への遊技球の滞留に伴って前記第２作動部(93)が作動位置に変位して前記検出手段(98)で検出されると共に、前記開閉部材の開放に伴って前記第３作動部(110)が作動位置に変位して前記検出手段(98)で検出されるよう構成されたことを要旨とする。
このように、第１〜第３作動部の夫々を常には待機位置に保持し、賞球払出し通路への遊技球の滞留に伴って第１作動部が作動位置に変位し、ファール球回収通路への遊技球の滞留に伴って第２作動部が作動位置に変位すると共に、開閉部材の開放に伴って第３作動部が作動位置に変位するよう構成したことで、開閉部材の開放や球受け皿への遊技球の滞留といった現象を確実に検出することができる。
【発明の効果】
【００１１】
本発明に係る遊技機によれば、賞球払出し通路に遊技球が滞留した状態およびファール球回収通路に遊技球が滞留した状態の何れであっても球受け皿の満杯状態として検出し得ると共に、球受け皿の満杯を検出する検出手段と、本体枠に対する開閉部材の開放を検出する検出手段とを共通化することが可能となる。
【図面の簡単な説明】
【００１２】
【図１】本発明の実施例に係るパチンコ機の斜視図である。
【図２】実施例に係るパチンコ機を前枠を開放した状態で示す斜視図である。
【図３】図２におけるＸ部の拡大図である。
【図４】実施例に係る中枠を背面から視た状態で示す斜視図であって、異常検出手段を取り付けた状態を示す。
【図５】実施例に係る中枠基体部から合流通路ユニットを分解すると供に、ファール球受け部の形成位置を拡大して示す斜視図である。
【図６】実施例におけるパチンコ機を連絡通路の形成位置で縦断して示す側断面図である。
【図７】実施例に係る合流通路ユニットの分解斜視図である。
【図８】実施例に係る合流通路ユニットのベース部を示す斜視図であって、異常検出手段を取り付けた状態を示す。
【図９】実施例に係る異常検出手段の分解斜視図であって、機構設置部および検出センサの関係を示す。
【図１０】実施例に係る合流通路ユニットをカバー部を取り外した状態で示す平面図である。
【図１１】実施例に係る開閉部材の分解斜視図である。
【図１２】実施例に係る合流通路ユニットのベース部を示す平面図である。
【図１３】(a)は図１６のＣ−Ｃ線断面図であって、第１および第２作動部が待機位置にあると共に第３作動部が作動位置にある状態を示し、(b)は図１７のＤ−Ｄ線断面図であって、第１および第２作動部が作動位置にあると共に第３作動部が待機位置にある状態を示す。
【図１４】図１０のＡ−Ａ線断面図であって、第１作動部が待機位置にある状態を示す。
【図１５】図１０のＡ−Ａ線断面図であって、第１作動部が作動位置にある状態を示す。
【図１６】図１０のＢ−Ｂ線断面図であって、第２作動部が待機位置で、開閉弁が閉鎖位置にある状態を示す。
【図１７】図１０のＢ−Ｂ線断面図であって、第２作動部が作動位置で、開閉弁が閉鎖位置にある状態を示す。
【図１８】図１０のＢ−Ｂ線断面図であって、第２作動部が作動位置で、開閉弁が開放位置にある状態を示す。
【図１９】実施例に係る合流通路ユニットの第３作動部と中枠に対する前枠の開閉状態との関係を断面で示す説明図であって、(a)は中枠から前枠を取り外した状態を示し、(b)は中枠に対して前枠を閉鎖した状態を示す。
【図２０】別実施例に係る異常検出手段の関係を示す概略図である。
【発明を実施するための形態】
【００１３】
次に、本発明に係る遊技機につき、好適な実施例を挙げて添付図面を参照しながら、以下詳細に説明する。なお、遊技機としては、一般的なパチンコ機１０を例にして説明する。なお、以下の説明において、前・後、左・右とは、特に断りのない限り、図１に示すようにパチンコ機１０を前側から見た状態において指称するものとする。
【実施例】
【００１４】
(パチンコ機１０の概略構成について)
実施例に係るパチンコ機１０の概略構成は、図１または図２に示すように、遊技店に設けられた図示しない設置枠台に縦置き姿勢で設置される固定枠としての外枠１１と、該外枠１１に対して着脱および開閉可能に枢支され、各種制御装置等の遊技機構成部品が設置される本体枠としての中枠１３と、該中枠１３に着脱交換可能に取り付けられて所要の遊技領域２０ａが画成された遊技盤２０と、該中枠１３の前面側に着脱および開閉可能に枢支されると共に遊技盤２０を透視保護する装飾枠としての前枠１４とを基本的に備えている。また、実施例のパチンコ機１０では、パチンコ球を貯留可能な球受け皿１７ａとしての球皿部材１７が前記前枠１４に一体的に配設されており、前枠１４の開閉動作に合わせて球皿部材１７が開閉するよう構成されている。すなわち、実施例のパチンコ機１０では、前記前枠１４が中枠１３の前側で開閉可能な開閉体として機能すると共に、該前枠１４が球皿部材１７としても機能している。そして、前記パチンコ機１０の前面側(実施例では前枠１４)における右下部位置には、パチンコ球の発射を制御する制御手段としての発射・払出し制御装置１４０(図４参照)に接続された操作ハンドル１８が配設されており、遊技者による操作ハンドル１８の回動操作により後述する球送り装置１９および打球発射装置４５(図２参照)が作動して、球受け皿１７ａに貯留されたパチンコ球が遊技盤２０の遊技領域２０ａに向けて１球ずつ発射されるよう構成されている。
【００１５】
(遊技盤２０について)
ここで、前記遊技盤２０は、図２に示すように、円弧状に湾曲する外レール２１および内レール２２が盤面(前面)に配設されて、該内外レール２１,２２の内側に画成される遊技領域２０ａ内に、図柄表示装置や入賞装置等の遊技用部品(何れも図示せず)が配置されている。また、前記遊技盤２０の左側部に位置する外レール２１および内レール２２は、パチンコ球が通過可能な距離だけ離間した状態で遊技領域２０ａの径方向に重なるよう構成されて、前記打球発射装置４５から発射されたパチンコ球を遊技領域２０ａへ案内する発射通路２３を画成している。ここで、図３に示すように、前記発射通路２３は、遊技盤２０の下端左寄り位置で下方に開口すると共に、遊技盤２０の左上部位置で遊技領域２０ａ内に開口しており、前記打球発射装置４５から発射されて発射通路２３の下方開口から飛翔するパチンコ球が遊技領域２０ａの上部位置に打ち出されるようになっている。そして、前記遊技領域２０ａを流下する過程で入賞装置に入賞したパチンコ球を図示しない入賞検出センサが検出することで、前記中枠１３に配設された賞球や貸球の払出しを制御する制御手段としての発射・払出し制御装置１４０に入賞検出信号が入力され、該入賞検出信号の入力に応じて発射・払出し制御装置１４０が後述する球払出装置３７(図４または図６参照)を作動制御して所定数の賞球を払い出すようになっている。なお、実施例では、パチンコ球の発射を制御する制御手段と賞球や貸球の払出しを制御する制御手段とが単一の制御装置により構成されているが、これに限られない。また、以下の説明においては、前記発射通路２３の下方開口を始端開口部２３ａと指称する。また、前記遊技盤２０には、前記遊技領域２０ａ内における最下部位置に、遊技盤２０の裏側に連通するアウト口２４が形成されており、前記入賞装置に入賞することなく遊技領域２０ａの最下部まで流下したパチンコ球がアウト口２４を介して遊技盤２０の外側に排出されるよう構成してある。
【００１６】
(外枠１１について)
前記外枠１１は、図２に示すように、前後に開口する矩形枠状に形成されており、該外枠１１の左上部位置および左下部位置に、当該外枠１１と中枠１３とを開閉可能に連結する外枠側ヒンジ部１１ａが取り付けられている。なお、実施例では、前記外枠１１は上縁を構成する上外枠部１２ａと、下縁を構成する下外枠部１２ｂと、左縁を構成する左外枠部(図示せず)と、右縁を構成する右外枠部１２ｃとから基本的に構成されて、上下の外枠部１２ａ,１２ｂが木製の板部材で形成されると共に、左右の外枠部１２ｃがアルミ等の金属部材で形成されている。また、前記下外枠部１２ｂの前端部には、左右方向の全長に亘って上方へ延出する輿板１２ｄが備えられており、上外枠部１２ａおよび左右の外枠部１２ｃと、下外枠部１２ｂの輿板１２ｄとにより、前記中枠１３が臨む前後に開口した開口部を画成するようになっている。なお、前記輿板１２ｄの高さは、遊技店において別途準備される球箱の高さよりも大きな寸法に設定されて、前枠１４に設けられた前記球皿部材１７の下方に位置するように球箱を輿板１２ｄの前側に設置し得るよう構成される。
【００１７】
(前枠１４について)
前記前枠１４は、図１、図２に示すように、前記外枠１１の開口形状に略整合する矩形状に形成された前枠基体部１５に、前後に貫通する窓口１５ａが開口する枠状に形成されており、該前枠１４を中枠１３に対して閉鎖した状態で、前記遊技盤２０に形成された遊技領域２０ａ(図２参照)が窓口１５ａを介して前方に露出するよう構成されている。そして、前記前枠基体部１５の裏面側には、前記窓口１５ａの開設位置に対応してガラス板等の透明な透視保護板が着脱可能に配設されており、パチンコ機１０の前側から遊技盤２０を視認可能な状態で透視保護している。なお、図２では、前記前枠１４に取り付けられる透視保護板を省略して示してある。また、前記前枠１４(前枠基体部１５)の左上部位置および左下部位置には、当該前枠１４を中枠１３に対して開閉可能に連結する前枠側ヒンジ部１４ａが設けられており、該前枠１４を中枠１３に対して閉鎖した際に、中枠１３の前面全体が前枠１４で被覆されるよう構成されている。
【００１８】
前記前枠１４(前枠基体部１５)の前面側には、図１、図２に示すように、上方へ開口する球受け皿１７ａを備えた前記球皿部材１７が前記窓口１５ａの下方位置に取り付けられており、該球受け皿１７ａ内に所定数のパチンコ球を一時的に貯留し得るようになっている。そして、前記前枠１４(前枠基体部１５)の後面側に、前記発射・払出し制御装置１４０に接続する球送り装置１９が前記球受け皿１７ａの下流端部に連通するよう設置されており、前記操作ハンドル１８の回動操作に基づいて球送り装置１９が作動して球受け皿１７ａに貯留されたパチンコ球を１球ずつ打球発射装置４５に送出すよう構成されている。なお、実施例では、前記前枠１４(前枠基体部１５)における球皿部材１７の右側方に、前記操作ハンドル１８が設置されている。また、前記前枠１４(前枠基体部１５)には、球受け皿１７ａの左端部側で開口する給出口１６が前後に貫通するよう開設されている。この給出口１６は、前記前枠１４を中枠１３に対して閉鎖した状態で、中枠１３に形成された後述の連絡通路５５に連通接続するよう構成され、該連絡通路５５を介してパチンコ球(賞球や貸球、ファール球)が球受け皿１７ａへ給出されるようになっている。
【００１９】
また、実施例に係る前記球皿部材１７には、前記球受け皿１７ａの内部(例えば底面)で開口すると共に該球皿部材１７の下面に開口する球抜き路(図示せず)が形成されている。前記球抜き路の球受け皿１７ａ側の開口は、前記球皿部材１７に配設された球抜き操作ボタン１７ｂ(図１参照)の操作に応じて開閉するシャッタ部材(図示せず)により閉鎖されており、該球抜き操作ボタン１７ｂを操作してシャッタ部材を開閉動作させることで、球受け皿１７ａに貯留されたパチンコ球を球皿部材１７の下方に設置した球箱に直接抜き出し得るようになっている。このように、実施例のパチンコ機１０は、パチンコ球を貯留する球受け皿１７ａを前面側に１つだけ備えた所謂「一枚皿タイプ」のパチンコ機１０として構成されている。また、前記球皿部材１７の上面には、貸球操作ボタン１７ｃが上面に設けられており、該貸球操作ボタン１７ｃを遊技者が押下することで、前記発射・払出し制御装置１４０に貸球払出し信号が入力され、前記中枠１３に設けられた球払出装置３７が作動されて所定数の貸球が球受け皿１７ａに払い出されるようになっている。なお、前記前枠基体部１５の前面には、前記窓口１５ａの周囲を囲繞するよう各種の装飾部材１５ｂやランプ装置等が配設されて、パチンコ機１０の前面を装飾している。
【００２０】
(中枠１３について)
前記中枠１３は、図２に示すように、前記外枠１１の開口形状に略整合すると共に上方側に偏った位置で前後に開口する矩形枠状に形成されており、該中枠１３の左上部位置および右下部位置に、当該中枠１３と外枠１１とを開閉可能に連結すると共に中枠１３と前枠１４とを開閉可能に連結する中枠側ヒンジ部１３ａが設けられている。すなわち、前記中枠１３は、前記外枠側ヒンジ部１１ａと中枠側ヒンジ部１３ａとを連結することで、中枠１３の左側部が外枠１１に対して開閉可能に枢支され、中枠側ヒンジ部１３ａと前枠側ヒンジ部１４ａとを連結することで、中枠１３および前枠１４の左側部が相対的に開閉可能に枢支されるようになっている。また、実施例における外枠１１、中枠１３および前枠１４の夫々は、各ヒンジ部１１ａ,１３ａ,１４ａに相対的に設けられた支持軸および軸孔の軸支構造により開閉可能に連結されるようになっている。
【００２１】
ここで、前記中枠１３は、図４に示すように、前記遊技機構成部品が設置される設置部として機能する中枠基体部３０と、中枠基体部３０の左右側部に設けられて中枠１３の左右側縁をなす左右の中枠部３２,３３と、該左右の中枠部３２,３３の上端部に設けられて中枠１３の上縁をなす上中枠部３１とから構成されて、これら各部材３０〜３３を組み付けた際に、全体が前記外枠１１の開口形状に整合する大きさの枠体状に形成される。そして、前記中枠基体部３０と各中枠部３１〜３３とを組み付けた際に画成される開口部(以下、遊技盤設置部４０という)の開口内側に、前記遊技盤２０が着脱可能に設置されている。なお、前記中枠１３を構成する中枠基体部３０と各中枠部３１〜３３は独立した部材である必要はなく、中枠基体部３０および各中枠部３１〜３３の内の複数または全てを樹脂等で一体成形することも可能である。
【００２２】
また、図４に示すように、前記中枠１３の裏側上方位置には、遊技店に設けられた図示しない球供給設備から供給されるパチンコ球を貯留する球タンク４１が配置されると共に、該球タンク４１に貯留されたパチンコ球を所定列数に整列して流下させるタンクレール４２が設けられている。前記中枠１３の裏側には、前記遊技盤設置部４０の下方に、前記球受け皿１７ａに連通する合流通路ユニット６０(図４、図５参照)が設けられており、前記球タンク４１およびタンクレール４２の下方に離間して合流通路ユニット６０が配置されている。そして、前記タンクレール４２および合流通路ユニット６０に架け渡された球払出しユニット３５を介して、該タンクレール４２と合流通路ユニット６０とを連通接続するよう構成されて、球タンク４１に貯留されたパチンコ球がタンクレール４２、球払出しユニット３５および合流通路ユニット６０を介して球受け皿１７ａに供給されるようになっている。
【００２３】
ここで、前記球払出しユニット３５は、図４、図６に示すように、前記タンクレール４２に連通される上流側通路３６と、前記合流通路ユニット６０に連通される下流側通路３８と、該上流側通路３６の下流端および下流側通路３８の上流端を連通して、前記発射・払出し制御装置１４０からの制御信号に基づいて作動する球払出装置３７とを備えている。すなわち、前記球払出装置３７が停止した状態においては前記設置枠台に設けた球供給設備から前記球タンク４１に供給されたパチンコ球が前記上流側通路３６に充填された状態で貯留され、前記発射・払出し制御装置１４０からの賞球または貸球の払出し信号に基づいて作動した球払出装置３７により、該上流側通路３６に貯留されたパチンコ球が下流側通路３８に案内されることで、最終的に賞球または貸球として前記球受け皿１７ａに給出されるよう構成されている。なお、前記上流側通路３６の下流端には、パチンコ機１０の外部に設けられた球回収設備へパチンコ球を回収する球抜き通路３９が分岐するよう設けられており(図６参照)、該分岐位置に設けた球抜き弁３９ａを開放することで、上流側通路３６のパチンコ球が球抜き通路３９を介して回収されるようになっている。
【００２４】
(中枠基体部３０について) 
前記中枠基体部３０の前面には、図２〜図３に示すように、前記遊技盤設置部４０に設置された遊技盤２０の盤面(前面)と略同一平面上に位置する発射装置設置部４３が形成されており、前記操作ハンドル１８の操作により作動してパチンコ球を前記発射通路２３に向けて発射する打球発射装置４５が発射装置設置部４３に設置されている。前記打球発射装置４５は、前記発射通路２３の始端開口部２３ａを指向する傾斜姿勢で発射装置設置部４３に設置されると共に前記球送り装置１９から送出されるパチンコ球を発射待機位置に保持する発射レール４５ａと、操作ハンドル１８の操作に応じて作動され、発射レール４５ａにおける発射待機位置に保持されたパチンコ球を打球する打球杆４５ｂとを備えており、打球杆４５ｂにより打球されたパチンコ球が発射レール４５ａに沿って発射通路２３へ向けて発射されるようになっている。また、前記中枠基体部３０の上端部には、前記発射レール４５ａの延長線上に、前記発射通路２３の始端開口部２３ａに開口する発射口４４が設けられており、前記発射レール４５ａに沿って発射されたパチンコ球が発射口４４を介して発射通路２３へ移動し得るよう構成されている。そして、前記発射通路２３に発射されたパチンコ球が、前記外レール２１に沿って遊技領域２０ａへ向けて案内される。
【００２５】
また、前記中枠基体部３０には、図３に示すように、前記前枠１４を中枠１３に対して閉鎖した状態で前記給出口１６と対応する位置に、中枠基体部３０の前後に貫通する連絡通路５５が設けられて、該前枠１４を中枠１３に対して閉鎖することで連絡通路５５の前方開口(球出口)に給出口１６が連通接続するよう構成されている。前記連絡通路５５の後方開口(球入口)には、前記合流通路ユニット６０の球流下経路部６５,７５,８０が連通接続するよう構成されており、該合流通路ユニット６０の球流下経路部６５,７５,８０に到来したパチンコ球(賞球や貸球、ファール球)が連絡通路５５および給出口１６を介して球受け皿１７ａに案内されるようになっている(図６参照)。なお、前記連絡通路５５は、前記中枠基体部３０の左端部近傍に位置するよう形成されている。
【００２６】
また、前記中枠基体部３０には、前記連絡通路５５の球出口に、該連絡通路５５をパチンコ球が通過不能な通過規制位置および当該連絡通路５５をパチンコ球が通過可能な通過許容位置に回転変位可能な球止め部材５６が配設されている。前記球止め部材５６は、バネ等の付勢手段５７により前記通過規制位置へ向けて常時付勢されており、前記中枠１３に対して前枠１４を開放して前記給出口１６と連絡通路５５とが分離した状態において、前記連絡通路５５からパチンコ球が前方へ零れ落ちるのを防止するよう構成されている。また、前記中枠１３に対して前枠１４を閉鎖した状態では、前記前枠１４の給出口１６の開口縁に形成された押圧部１６ａが球止め部材５６の作動片５８を押圧することで、該球止め部材５６を通過規制位置から通過許容位置へ強制変位させるよう構成されており、前記連絡通路５５から球受け皿１７ａへパチンコ球が移動し得るようになっている。なお、図３では、球止め部材５６を通過許容位置へ変位させた状態を示している。
【００２７】
また、前記中枠基体部３０には、図３に示すように、前記発射通路２３に飛翔したパチンコ球の内で、前記遊技領域２０ａまで到達する勢いがなく発射通路２３を逆流したパチンコ球(所謂ファール球)を回収するファール球受け部５０が設けられている。前記ファール球受け部５０は、前記中枠基体部３０の上面(遊技盤２０保持部側)で上方開口する受入れ口５１と、該中枠基体部３０の後面で後方開口する排出口５２とを備え、該受入れ口５１から排出口５２へ向けて下方傾斜する皿状に形成されている。すなわち、前記ファール球受け部５０の受入れ口５１に流入したパチンコ球は、前記排出口５２に誘導されて中枠基体部３０の裏側へ排出されるようになっている。また、前記ファール球受け部５０の排出口５２は、後述するように前記合流通路ユニット６０の球流下経路部６５,７５,８０に連通接続しており、ファール球受け部５０に受入れたファール球が合流通路ユニット６０を介して球受け皿１７ａに回収されるようになっている。
【００２８】
ここで、前記ファール球受け部５０の受入れ口５１は、図３に示すように、前記発射通路２３の始端開口部２３ａ内で開口するよう構成されており、該発射通路２３を逆流したファール球がファール球受け部５０に流入するよう構成されている。より具体的には、前記ファール球受け部５０の受入れ口５１が前記発射通路２３を画成する外レール２１の下端部で開口するよう前記中枠基体部３０に設けられている。すなわち、前記中枠基体部３０には、前記発射通路２３の始端開口部２３ａにおいて、前記打球発射装置４５により発射されたパチンコ球が通過する発射口４４よりも外側(外レール２１側)に前記ファール球受け部５０が発射口４４に隣接して設けられており、前記外レール２１に沿って流下するファール球が発射口４４側に戻ることなくファール球受け部５０の受入れ口５１に流入するようになっている。
【００２９】
(合流通路ユニット６０について)
次に、前記合流通路ユニット６０の構成について説明する。図７に示すように、前記合流通路ユニット６０は、ユニット本体としての本体部６１と、該本体部６１に形成されてパチンコ球が流下する球流下経路部６５,７５,８０と、該球流下経路部６５,７５,８０でのパチンコ球の滞留を検出する異常検出手段９０とを備えており、前記中枠１３(中枠基体部３０)の裏側に本体部６１がネジ等で固定されるようになっている。ここで、実施例の本体部６１は、上方開口する箱状に形成されると共に前記球流下経路部６５,７５,８０が画成されるベース部６２と、該ベース部６２に取り付けられて当該ベース部６２(球流下経路部６５,７５,８０)の上方開口を塞ぐカバー部６３と、前記異常検出手段９０が設置される機構設置部６４とから構成されて、ベース部６２に対してカバー部６３および機構設置部６４を取り付けた全体で、前記連絡通路５５の球入口およびファール球受け部５０の排出口５２を塞ぐ大きさの箱状に形成されている。なお、前記合流通路ユニット６０(本体部６１)の上面および外側面は補強板６０ａで被覆されており、該合流通路ユニット６０の剛性を高めている。
【００３０】
また、前記合流通路ユニット６０の本体部６１には、前記連絡通路５５の球入口およびファール球受け部５０の排出口５２と対応する位置に、前記球流下経路部６５,７５,８０に開口する連通口６１ａ,６１ｂが夫々前方開口するよう開設されており、球流下経路部６５,７５,８０から連絡通路５５へのパチンコ球の移動を可能にすると共に、ファール球受け部５０から球流下経路部６５,７５,８０へのパチンコ球(ファール球)の移動を可能にしている。なお、以下の説明では、連絡通路５５の球入口に連通する連通口を第１連通口６１ａと指称し、ファール球受け部５０の排出口５２に連通する連通口を第２連通口６１ｂと指称する。すなわち、実施例では、第１連通口６１ａの右側方に第２連通口６１ｂが位置するよう前記本体部６１に各連通口６１ａ,６１ｂが形成されている。
【００３１】
ここで、前記合流通路ユニット６０に形成される前記球流下経路部６５,７５,８０は、図７〜図８、図１２に示すように、前記連絡通路５５に連通する球貯留部(合流部)６５と、前記球払出しユニット３５の下流側通路３８に連通すると共に球貯留部６５に連通する払出し球通路７５と、前記ファール球受け部５０に連通すると共に球貯留部６５に連通するファール球通路８０とが設けられており、該合流通路ユニット６０を介して下流側通路３８およびファール球受け部５０の夫々が連絡通路５５(球受け皿１７ａ)に連通するようになっている。すなわち、前記球払出装置３７の作動により払出された賞球や貸球は、前記下流側通路３８および払出し球通路７５を介して球貯留部６５に一旦移動した後に、前記球受け皿１７ａへ給出されると共に、前記打球発射装置４５の発射に伴い発生したファール球は、前記ファール球受け部５０およびファール球通路８０を介して球貯留部６５に一旦移動した後に、球受け皿１７ａへ回収されるようになっている。このように、実施例のパチンコ機１０では、前記合流通路ユニット６０の払出し球通路７５が前記賞球を前記球受け皿１７ａへ案内する賞球払出し通路の一部を構成し、該合流通路ユニット６０のファール球通路８０が前記ファール球を前記球受け皿１７ａに案内するファール球回収通路の一部を構成しており、賞球や貸球として遊技者に払出されるパチンコ球が通過する経路と、発射不良に伴いファール球として回収されるパチンコ球が通過する経路とが球貯留部６５において合流するようになっている。
【００３２】
(球貯留部６５について)
前記球貯留部６５は、図５、図８に示すように、前記第１連通口６１ａを介して前記本体部６１の前方へ開口するよう構成されており、前記合流通路ユニット６０を中枠１３(中枠基体部３０)に取り付けた際に、該球貯留部６５の第１連通口６１ａが前記連絡通路５５の球入口に連通するようになっている。そして、前記球貯留部６５の底面６８は前方(第１連通口６１ａ)へ向けて一様に下方傾斜するよう形成されており、該球貯留部６５にあるパチンコ球を連絡通路５５へ向けて転動させるよう構成されている。ここで、前記球貯留部６５は、一定量のパチンコ球(例えば２００〜３００球程度)を貯留し得る容積の空間を画成しており、前記球受け皿１７ａが満杯になって受入れ不能なパチンコ球を、該球貯留部６５に一時的に貯留し得るよう構成されている。
【００３３】
前記球貯留部６５の右側面を画成する右内側壁６６には、図８、図１０、図１２に示すように、該球貯留部６５に開口する第１接続口６９および第２接続口７０が前後に離間する位置に形成されており、該第１接続口６９および第２接続口７０に対応して前記払出し球通路７５およびファール球通路８０の夫々が個別に連通するようになっている。ここで、実施例では、前記球貯留部６５の内部後方側(奥側)に位置する第１接続口６９に、前記払出し球通路７５が連通接続し、該球貯留部６５の内部前方側(手前側)に位置する第２接続口７０(ファール球通路８０の球出口)に、前記ファール球通路８０が連通接続するよう構成されている。すなわち、実施例では、前記ファール球通路８０は、前記払出し球通路７５よりも前記球貯留部６５が球受け皿１７ａに連通する第１連通口６１ａに近接位置するよう設けられている。そして、第１接続口６９が払出し球通路７５の球出口として機能すると共に、第２接続口７０がファール球通路８０の球出口として機能している。
【００３４】
また、前記球貯留部６５の左側面を画成する左内側壁６７は、図８、図１０、図１２に示すように、前記第１連通口６１ａに繋がる前端部から前記第１接続口６９に対向する球貯留部６５の後端部へ向かうにつれて、前記右内側壁６６側に近接する湾曲面状に形成されている。これにより、前記第１接続口６９または第２接続口７０を介して球貯留部６５に流入して左内側壁６７側へ移動したパチンコ球(賞球や貸球、ファール球)を速やかに第１連通口６１ａへ誘導し得るようになっている。また、前記球貯留部６５の底面６８には、前記第１接続口６９に対向する左内側壁６７側に、該球貯留部６５内に突出する膨出部６８ａが形成されており、該第１接続口６９(払出し球通路７５)を介して球貯留部６５に流入したパチンコ球(賞球や貸球)の転動方向が速やかに第１連通口６１ａへ向くよう誘導している。すなわち、賞球や貸球の払出しが遅れて球受け皿１７ａ内のパチンコ球がなくなるのを防止している。ここで、前記球貯留部６５の底面６８からの膨出部６８ａの突出高さは、該底面６８から膨出部６８ａ上にパチンコ球が乗り上げ可能な程度(例えばパチンコ球の直径の１／１０〜１／３程度)に設定されており、該球貯留部６５に貯留可能なパチンコ球数を減らすことなく、パチンコ球の転動方向を第１連通口６１ａへ誘導し得るようにしてある。なお、前記膨出部６８ａの周縁部は、円弧状に面取りされており、該膨出部６８ａへパチンコ球が容易に乗り上げ得るようにしてある。
【００３５】
ここで、図８、図１４等に示すように、前記球貯留部６５の底面６８は、前記払出し球通路７５(後述する前方通路７７)の底面７５ａよりも下方に位置するよう構成されている。また、前記球貯留部６５の底面６８には、前記払出し球通路７５の合流位置(第１接続口６９の直下流位置)に、上下に貫通する第１挿入孔７１が開設されており、前記異常検出手段９０における後述する第１作動部９２が第１挿入孔７１を介して球貯留部６５内に突出するよう構成されている。すなわち、前記球貯留部６５にパチンコ球が滞留した状態で前記払出し球通路７５(前方通路７７)を介して球貯留部６５にパチンコ球(賞球や貸球)が流入するのに伴い、前記第１作動部９２上にパチンコ球が滞留して作動するよう構成されている。
【００３６】
また、前記第１挿入孔７１の開口縁部には、図８、図１４に示すように、球貯留部６５の内部へ突出する規制壁７２が形成されており、該球貯留部６５に貯留可能なパチンコ球数を確保すると共に、第１挿入孔７１を介して球貯留部６５内に突出する前記第１作動部９２の側面に、球貯留部６５内に滞留したパチンコ球の圧力が掛かるのを抑制して、該第１作動部９２の作動不良を防止している。なお、実施例では、前記球貯留部６５の底面６８からの規制壁７２の突出高さは、パチンコ球の直径と同程度に設定されており、該球貯留部６５の底面６８上にあるパチンコ球が規制壁７２に乗り上げるのを規制することにより、当該球貯留部６５に積み重なるよう貯留されたパチンコ球の最下段にあるパチンコ球が第１作動部９２に直接接触しないよう構成されている。
【００３７】
(払出し球通路７５について)
図８、図１０、図１２に示すように、前記払出し球通路７５は、前記本体部６１の後端部に形成されて前記球払出しユニット３５の下流側通路３８に連通する後方通路７６と、該後方通路７６を前記第１接続口６９に接続させる前方通路７７とから構成されている。ここで、前記後方通路７６は、前記球払出しユニット３５の下流側通路３８の延在方向(実施例では図１０において左から右方向)へ下方傾斜すると共に、該後方通路７６の通路幅を１個のパチンコ球が一列で通過可能な寸法に設定されており、球払出しユニット３５(下流側通路３８)から合流通路ユニット６０(払出し球通路７５)に流入するパチンコ球(賞球や貸球)を、球詰まりすることなくそのままスムーズに流下させ得るようになっている。
【００３８】
また、前記払出し球通路７５の前方通路７７は、前記後方通路７６の下流端部(右端部)に連通すると共に当該後方通路７６の前方側に重なるよう位置して、左方向へ下方傾斜する折返し形状に形成されている。ここで、前記前方通路７７の通路幅は、複数個(実施例では２個)のパチンコ球が並んで通過可能な寸法に設定されており、払出し球通路７５における折返し後の通路幅を拡大させることで、一度に多数払出されるパチンコ球(賞球や貸球)を速やかに球貯留部６５へ案内し得るようになっている。なお、前記第１作動部９２は、前記前方通路７７の全幅に亘って臨むよう構成されており、払出し球通路７５を通過したパチンコ球(賞球や貸球)の全てが第１作動部９２上に移動するようになっている。また、前記払出し球通路７５における後方通路７６と前方通路７７との接続部(すなわち払出し球通路７５の折返し部)は、複数(実施例では２個)のパチンコ球が並んで通過可能な寸法に設定され、該後方通路７６から前方通路７７に流入するパチンコ球(賞球や貸球)の球詰まりを防止している。更に、前記払出し球通路７５の折返し部は、前記後方通路７６より前方通路７７が下方に位置する段差状に形成されており(図８参照)、該折返し部で停留することなくパチンコ球(賞球や貸球)が後方通路７６から前方通路７７へスムーズに流下し得るようになっている。
【００３９】
(ファール球通路８０について)
前記ファール球通路８０は、図８、図１０、図１２に示すように、前記第２連通口６１ｂから第２接続口７０へ向けて緩やかに屈曲するよう構成されており、前記合流通路ユニット６０を中枠１３(中枠基体部３０)に取り付けた際に、該ファール球通路８０の第２連通口６１ｂが前記ファール球受け部５０の排出口５２に連通するようになっている。すなわち、前記ファール球通路８０の後面を画成する後壁８２は、前記第２連通口６１ｂの右側開口縁から第２接続口７０の後側開口縁に向かうにつれて緩やかに湾曲した曲面形状に形成されると共に、該ファール球通路８０の前面を画成する前壁８３は、第２連通口６１ｂの左側開口縁から第２接続口７０の前側開口縁に向かうにつれて緩やかに湾曲した曲面形状に形成されて、ファール球受け部５０の排出口５２から第２連通口６１ｂを介してファール球通路８０に流入するパチンコ球(ファール球)をスムーズに球貯留部６５へ案内するよう構成されている。ここで、ファール球通路８０の通路幅は、複数(実施例では２個)のパチンコ球が並んで流下可能な寸法に設定されており、前記ファール球受け部５０からファール球通路８０に流入するパチンコ球(ファール球)の球詰まりを防止しつつ、速やかに球貯留部６５まで案内し得るようになっている。
【００４０】
また、前記ファール球通路８０における前記第２連通口６１ｂの下縁部に連なる底面８１には、図１２に示すように、前記第２接続口７０の直上流位置(球貯留部６５との合流位置)に、上下および後方に貫通する第２挿入孔８４が開設されており、前記異常検出手段９０における後述する第２作動部９３が第２挿入孔８４を介して球貯留部６５内に臨んでいる。すなわち、前記ファール球受け部５０を介して流入するパチンコ球(ファール球)が前記ファール球通路８０に滞留するのに伴い第２作動部９３が作動し得るよう構成されている。ここで、前記第２挿入孔８４は、前記ファール球通路８０の下流端部において後方側(球貯留部６５の奥側)に偏った位置に設けられており、該ファール球通路８０の後壁８２に沿って流下するパチンコ球(ファール球)が第２作動部９３へ誘導されるようになっている。ここで、前記ファール球通路８０の底面８１は、前記後壁８２に連設すると共に前記第２連通口６１ｂから前記第２挿入孔８４(第２作動部９３)へ向けて連続して下方傾斜する後方傾斜面８１ａと、該後方傾斜面８１ａの前側に位置して前記前壁８３に連設すると共に後側(後方傾斜面８１ａ側)へ向けて下方傾斜する前方傾斜面８１ｂとから構成されており、前記ファール球受け部５０からファール球通路８０に流入するパチンコ球(ファール球)を、後方傾斜面８１ａに沿って転動させて第２作動部９３へ誘導するようになっている。
【００４１】
更に、前記ファール球通路８０における前記第２作動部９３の下流側には、該ファール球通路８０の底面８１より所定高さだけ下がった段差部８６が形成されており、該段差部８６に前記第２接続口７０が連通するようになっている。すなわち、前記ファール球通路８０の底面８１は、前記球貯留部６５の底面６８より上方に位置している。なお、実施例では、前記球貯留部６５の底面６８からの段差部８６の高さは、パチンコ球の直径と同程度に設定してある。また、前記ファール球通路８０の前壁８３および後壁８２には、前記第２挿入孔８４(第２作動部９３)と対応する位置に、後述する開閉部材１００の揺動を規制する開放規制部８５が設けられている。
【００４２】
(異常検出手段９０について)
次に、前記異常検出手段９０について説明する。図７、図９に示すように、前記異常検出手段９０は、前記払出し球通路７５へのパチンコ球の滞留状態に対応した作動位置(図１３(b)、図１５、図１７、図１８参照)および該払出し球通路７５をパチンコ球が通過可能な状態に対応した待機位置に変位する第１作動部９２と、前記ファール球通路８０へのパチンコ球の滞留状態に対応した作動位置および該ファール球通路８０をパチンコ球が通過可能な状態に対応した待機位置に変位する第２作動部９３と、中枠１３に対する前記開閉部材としての前枠１４の開放状態に対応した作動位置および該中枠１３に対する前枠１４の閉鎖状態に対応する待機位置に変位する第３作動部１１０と、第１〜第３作動部９２,９３,１１０の何れかの作動位置への変位を検出して検出状態に切り替わる検出手段としての検出センサ９８とから基本的に構成されている。ここで、実施例の第１作動部９２および第２作動部９３は、前記機構設置部６４に揺動自在に枢支される揺動部材９１に一体的に設けられており、第１作動部９２および第２作動部９３の何れか一方の作動部９２,９３が作動位置へ変位するのに伴い他方の作動部９２,９３も作動位置に変位するよう構成されている。
【００４３】
前記揺動部材９１は、図９、図１３、図１４に示すように、前記第１作動部９２の側縁部(図９の右側縁部)から延出片９４が前方へ延出すると共に、該延出片９４の前端部に、前記第２作動部９３が形成されており、前記ベース部６２と機構設置部６４とを組み付けた際に、前記球貯留部６５に形成された前記第１挿入孔７１に第１作動部９２が下方から挿入されると共に、前記ファール球通路８０に形成された前記第２挿入孔８４に第２作動部９３が後方から挿入されるようになっている。また、前記揺動部材９１の後端部には、左右方向に延在する軸孔９１ａが形成されており、該軸孔９１ａに挿通された揺動軸９５を前記機構設置部６４に枢支することで、揺動部材９１が上下方向に揺動変位し得るよう機構設置部６４に取り付けられている。そして、前記揺動軸９５に付勢手段９６としての捻りバネが介装されており、前記揺動部材９１を上方(第１作動部９２および第２作動部９３が対応の第１挿入孔７１および第２挿入孔８４から上方へ突出する方向)へ向けて付勢するよう構成されている。
【００４４】
ここで、前記揺動部材９１には、前記第１作動部９２の前端部に係合フック９１ｂが形成されており、該係合フック９１ｂが前記第１挿入孔７１の開口下端縁に係合することで、揺動部材９１の上方への揺動変位が規制されるようになっている(図１４参照)。また、前記揺動部材９１の下方への揺動変位は、該揺動部材９１(第２作動部９３)の前端下部が機構設置部６４に接触することで規制されるよう構成されている。すなわち、前記揺動部材９１(第１作動部９２および第２作動部９３)は、前記係合フック９１ｂが第１挿入孔７１の開口下端縁に係合する状態と、揺動部材９１(第２作動部９３)の前端下部が機構設置部６４に接触する状態の範囲で揺動し得るようになっている。以下の説明では、前記捻りバネの付勢に伴い前記揺動部材９１が上方へ揺動した状態における前記第１作動部９２および第２作動部９３の位置を待機位置と指称し(図１３(ａ)、図１４、図１６参照)、該捻りバネの付勢に抗して揺動部材９１が下方へ揺動した状態における第１作動部９２および第２作動部９３の位置を作動位置と指称するものとする(図１３(b)、図１５、図１７、図１８参照)。なお、図１５等における符号Ｐはパチンコ球を示している。
【００４５】
(第１作動部９２について)
前記第１作動部９２は、図８、図１０、図１４に示すように、前記第１挿入孔７１の開口形状に略整合する形状に形成されており、前記払出し球通路７５を通過したパチンコ球が第１挿入孔７１から機構設置部６４側に落下するのを防止している。ここで、前記第１作動部９２が待機位置にある状態では、前記払出し球通路７５(前方通路７７)の底面７５ａと第１作動部９２の上面９２ａとが同一面上に位置するか、或いは該払出し球通路７５(前方通路７７)の底面７５ａより第１作動部９２の上面９２ａが下方に位置するよう構成されており、該払出し球通路７５(前方通路７７)を通過したパチンコ球が第１作動部９２上に移動し得るようになっている。なお実施例では、前記第１作動部９２が待機位置にある状態では、前記払出し球通路７５(前方通路７７)の底面７５ａより第１作動部９２の上面９２ａが下方に位置している。また、前記第１作動部９２が作動位置にある状態では、前記球貯留部６５に形成された規制壁７２の上端部より第１作動部９２の上面９２ａが上方に位置するよう構成されており、該第１作動部９２の上面９２ａ上にあるパチンコ球の動きが規制壁７２で制限されないようになっている。
【００４６】
そして、前記第１作動部９２上にパチンコ球(賞球や貸球)が乗ると、パチンコ球の重みによって前記揺動部材９１が揺動して第１作動部９２が待機位置から作動位置に移動すると共に(図１４、図１５参照)、当該第１作動部９２上のパチンコ球が球貯留部６５の底面６８側に移動することで、前記捻りバネの付勢により揺動部材９１が待機位置に復帰するよう構成されている。また、前記第１作動部９２が待機位置および作動位置の何れにある状態にあっても、該第１作動部９２の上面９２ａが前方(第１連通口６１ａ)へ向けて下方傾斜するよう構成されている。すなわち、前記払出し球通路７５を通過して第１作動部９２上に到来したパチンコ球は、該第１作動部９２が待機位置および作動位置の何れにある状態にあっても、前記第１連通口６１ａへ向けて球貯留部６５の底面６８側へ案内されるようになっている。
【００４７】
(第２作動部９３について)
前記第２作動部９３は、図９，図１１、図１３(a)、図１６に示すように、前記第２挿入孔８４の開口形状に略整合する形状に形成されており、ファール球通路８０を通過したパチンコ球が第２挿入孔８４から機構設置部６４側に落下するのを防止している。ここで、前記第２作動部９３が待機位置にある状態では、前記ファール球通路８０の底面８１(後方傾斜面８１ａ)と第２作動部９３の上面９３ａとが同一面上に位置するか、或いは該ファール球通路８０の底面８１(後方傾斜面８１ａ)より第２作動部９３の上面９３ａが下方に位置するよう構成されており、該ファール球通路８０を通過したパチンコ球が第２作動部９３上に移動し得るようになっている。なお、実施例では、前記第２作動部９３が待機位置にある状態において、前記ファール球通路８０の底面８１(後方傾斜面８１ａ)と第２作動部９３の上面９３ａとが略同一面上に位置している。そして、前記第２作動部９３上にパチンコ球(ファール球)が乗ると、パチンコ球の重みによって前記揺動部材９１が揺動して第２作動部９３が待機位置から作動位置に移動すると共に、当該第２作動部９３上のパチンコ球が球貯留部６５の底面６８側に移動することで、前記捻りバネの付勢により揺動部材９１が待機位置に復帰するよう構成されている。
【００４８】
図１７に示すように、前記第２作動部９３が作動位置にある状態では、前記段差部８６の底面８６ａ(球貯留部６５の底面６８)と第２作動部９３の上面９３ａとが同一面上に位置するか、或いは該球貯留部６５の底面６８より第２作動部９３の上面９３ａが上方に位置するよう構成されており、該作動位置にある第２作動部９３上にあるパチンコ球が球貯留部６５側へ転動し得るよう構成されている。なお、実施例では、前記第２作動部９３が作動位置にある状態において、前記球貯留部６５の底面６８よりも第２作動部９３の上面９３ａの方が僅かに上方に位置している。更に、前記第２作動部９３が待機位置および作動位置の何れにある状態にあっても、該第２作動部９３の上面９３ａが第２接続口７０(球貯留部６５)へ向けて下方傾斜するよう構成されており、当該第２作動部９３上にあるパチンコ球を第１連通口６１ａへ案内するようになっている。
【００４９】
また、前記揺動部材９１には、前記第１作動部９２と第２作動部９３とを繋ぐ前記延出片９４の下面側に、下方へ向けて延出する第１検出片(検出部)９７が形成されている(図１３参照)。そして、前記機構設置部６４には、前記揺動部材９１の第１検出片９７と対応する位置に、該第１検出片９７を検出する検出センサ９８が設置されている。実施例では、前記検出センサ９８として受光部９８ａと発光部９８ｂとが所定間隔離間して対向配置されたフォトインタラプタが採用されており、該受光部９８ａおよび発光部９８ｂの間の隙間が上下および後方へ開口する姿勢で、前記機構設置部６４の下面側に検出センサ９８が取り付けられている。すなわち、前記検出センサ９８は、上方、下方および後方の異なる３方向に開口した開口部を有している。ここで、前記第１作動部９２および第２作動部９３が待機位置に保持された状態では、前記検出センサ９８の上方に前記第１検出片９７が退避して該検出センサ９８が非検出となる一方で、該第１作動部９２または第２作動部９３が待機位置から作動位置へ変位した際に、当該検出センサ９８の上方の隙間(上方差込口)に第１検出片９７が差し込まれて検出されるよう構成されている。
【００５０】
実施例では、前記検出センサ９８が第１検出片９７を検出する検出状態に切り替ってから、該検出状態が規定時間に亘って継続した場合に、前記球払出装置３７による払出しを停止させるよう前記発射・払出し制御装置１４０が設定されている。ここで、前記球払出装置３７による払出しを停止させる基準となる規定時間としては、前記払出し球通路７５を通過するパチンコ球(賞球や貸球)が第１作動部９２上を通過する際に、該パチンコ球の重みで待機位置から作動位置に第１検出片９７が変位する時間だけ検出センサ９８が検出する時間よりも長い時間に設定される。また同様に、規定時間としては、前記ファール球通路８０を通過するパチンコ球(ファール球)が第２作動部９３上を通過する際に、該パチンコ球の重みで待機位置から作動位置に第１検出片９７が変位する時間だけ検出センサ９８が検出する時間よりも長い時間に設定される。なお、実施例では規定時間として数秒(例えば３秒)の時間が設定されている。これにより、賞球や貸球が払出されたり、ファール球が発生する度に球払出装置３７の作動が停止されるのを防止している。
【００５１】
(第３作動部について)
前記第３作動部１１０は、図５、図９等に示すように、前後に延在する長尺な棒状に形成されており、前記機構設置部６４の下面側における前記検出センサ９８の隣接位置に、前方開口するよう形成された筒状ホルダ１１２に、該第３作動部１１０が前後移動可能な状態で後端部が挿入されている。前記第３作動部１１０は、前記筒状ホルダ１１２に取り付けた状態で、前記合流通路ユニット６０の前面より大きく前方へ突出するよう構成されており、該合流通路ユニット６０を中枠基体部３０に取り付けた際に、中枠基体部３０に前後に貫通するよう形成された貫通孔３０ａ(図３、図５、図１９参照)を介して中枠基体部３０の前面側に第３作動部１１０の前端部が突出するよう構成されている。また、前記第３作動部１１０の後端部には、前記筒状ホルダ１１２の内底面との間にバネ部材(付勢手段)１１３が介挿されており、該バネ部材１１３により第３作動部１１０が常には前方へ向けて突出するよう付勢されている。なお、前記第３作動部１１０および筒状ホルダ１１２には、該筒状ホルダ１１２からの第３作動部１１０の脱落を防止する抜止め手段(図示せず)が設けられており、前記バネ部材１１３で付勢された第３作動部１１０の後端部が筒状ホルダ１１２の前方開口から抜け出ないよう構成されている。なお、前記抜止め手段としては、前記第３作動部１１０の前後移動を許容しつつ筒状ホルダ１１２からの脱落を防止し得る構成であれば任意の構成を採用可能であるが、一例として挙げれば、前記第３作動部１１０の周面に前後に延在する溝部を形成すると共に、該溝部に摺動する突起部を筒状ホルダ１１２の内周面に形成して、該溝部の後端縁に突起部が係止するよう構成することで実現可能である。
【００５２】
ここで、前記バネ部材１１３により前方へ付勢された前記第３作動部１１０の前端部は、図１９に示すように、前記中枠１３に対して閉鎖した前枠１４(前枠基体部１５)の後面よりも前方へ突出するよう構成されている。これにより、前記中枠１３に対して前枠１４を閉鎖した状態では、該前枠１４(前枠基体部１５)の後面で第３作動部１１０の前端部が押圧されて、前記バネ部材１１３の付勢に抗して該第３作動部１１０が後方へ変位し、該中枠１３に対して前枠１４を開放することで、バネ部材１１３の付勢により第３作動部１１０が前方へ変位するようになっている。これにより、前記第３作動部１１０は、前記中枠１３に対する前記前枠１４の開放状態に対応した作動位置(図３、図１３(a)、図１９(ａ)参照)および該中枠１３に対する前枠１４の閉鎖状態に対応した待機位置(図１３(b)、図１９(b)参照)に変位し得るようになっている。
【００５３】
また、図９、図１３、図１９に示すように、前記第３作動部１１０には、前記検出センサ９８の後方開口と前後方向で整列する位置に、前後方向に延在する第２検出片(別の検出部)１１１が設けられており、該第３作動部１１０の前後移動に伴って検出センサ９８の後方の隙間(後方差込口)を介して第２検出片１１１を挿脱し得るようになっている。ここで、第３作動部１１０が待機位置に保持された状態では、前記検出センサ９８の後方に第２検出片１１１が退避して該検出センサ９８が非検出となる一方で、該第３作動部１１０が待機位置から作動位置に前方へ変位した際に、第２検出片１１１が検出センサ９８の後方差込口に差し込まれて検出されるよう構成されている。すなわち、前記第３作動部１１０は、パチンコ機１０が遊技に供される通常の状態(すなわち前枠１４を中枠１３に対して閉鎖した状態)では、常には待機位置に保持されると共に、前記前枠１４が開放した不正常な状態になることで前記第３作動部１１０が作動位置に変位して第２検出片１１１が前記検出センサ９８で検出されるようになっている。なお、前記筒状ホルダ１１２には、前記第２検出片１１１と対応する位置に、前方および該筒状ホルダ１１２の内部に開口するスリット１１４が形成されており、前記第３作動部１１０が前後移動した際に、該スリット１１４を介して第２検出片１１１が出没し得るようになっている。
【００５４】
ここで、前記検出センサ９８は、パチンコ機１０の全体を制御する制御手段としての主制御装置(図示せず)に配線接続されており、該検出センサ９８が前記第１検出片９７および第２検出片１１１の何れの検出部を検出した場合も共通の検出信号が主制御装置に出力されるようになっている。そして、前記検出センサ９８からの共通の検出信号が主制御装置に入力されるのに伴って前記発射・払出し制御装置１４０が球払出装置３７に対して払出停止信号を出力するよう設定されており、該払出停止信号の入力により球払出装置３７がパチンコ球の払い出しを停止するようになっている。そして、前記検出センサ９８が前記第１検出片９７および第２検出片１１１の何れの検出部も非検出となった場合に共通の検出解除信号が主制御装置に入力されるのに伴って発射・払出し制御装置１４０が球払出装置３７に対する払出停止信号の出力を停止するよう設定されている。すなわち、前記貸球操作ボタン１７ｃの操作による貸球払出信号や前記入賞装置へのパチンコ球の入賞による入賞検出信号に基づいて前記球払出装置３７が貸球や賞球の払出動作を行っている途中で、前記検出センサ９８からの共通の検出信号が入力された場合には、該貸球や賞球の払い出しを一時的に中断するよう構成されている。そして、検出解除信号が入力されると、貸球や賞球の払い出しの中断が解除されて、未払出しの貸球や賞球の残数を払い出すよう発射・払出し制御装置１４０が前記球払出装置３７を作動制御するよう設定されている。また、前記異常検出手段９０の検出センサ９８から共通の検出信号が入力されると、前記主制御装置から報知手段に異常検出信号を出力して異常の発生を報知するようになっている。
【００５５】
ここで、前記報知手段としては、パチンコ機１０に備えられた図柄表示装置やスピーカ２６(図２参照)、発光手段等が適宜に採用される。実施例のパチンコ機１０における異常検出手段９０の検出に伴った具体的な報知制御としては、前記共通の検出信号の入力に伴って継続的にスピーカ２６から警報音を出力するよう主制御装置が制御している。また、前記スピーカ２６からは、警報音として「球を抜いて下さい」といった音声出力が行われるよう設定されている。すなわち、異常検出手段９０の検出時には、遊技を行なっている際に発生する頻度が高い前記球受け皿１７ａへパチンコ球を供給不能な状態を基準にして報知するよう設定されている。また、スピーカ２６からの警報音の出力と併せて、図柄表示装置上に「球を抜いて下さい」といった警告表示を表示することで、遊技者に視覚的に注意を促すようにしてもよい。
【００５６】
また、前記異常検出手段９０の検出に伴った異常報知(スピーカ２６からの警報音出力)は、前記主制御装置に対する共通の検出信号の入力が停止するまで継続的に行われるように構成されている。このため、前枠１４の開放に起因して前記共通の検出信号が主制御装置に入力されて異常報知が行われた場合に、前記球受け皿１７ａへパチンコ球を供給し得るように対処したとしても共通の検出信号の入力が停止せず、異常の報知が継続される。すなわち、前記球受け皿１７ａへパチンコ球を供給不能な状態になったことを基準にしてスピーカ２６から警報音を出力して異常報知を行なっても、前枠１４の開放に起因した異常が発生していることを認識することができる。
【００５７】
また、実施例に係る異常検出手段９０では、前記第１検出片９７が待機位置にある状態では、該第１検出片９７に干渉することなく前記第２検出片１１１が作動位置および待機位置の間で変位し得るよう構成されると共に、該第２検出片１１１が待機位置にある状態では、当該第２検出片１１１に干渉することなく第１検出片９７が作動位置および待機位置の間で変位し得るよう構成されている。すなわち、前記第１検出片９７および第２検出片１１１の夫々が作動位置および待機位置の間を独立して変位し得るよう構成されて、前枠１４の開放と球受け皿１７ａにパチンコ球を供給し得ない満杯状態とを１つの装置で検出し得るようになっている。ここで、前記第１検出片９７および第２検出片１１１は、直交座標の異なる軸線方向(例えば上下方向をＸ軸とし、前後方向をＹ軸とする)に移動するよう構成されると共に、該第１検出片９７および第２検出片１１１の交点位置に前記検出センサ９８が配置されている。
【００５８】
そして、前記検出センサ９８の上方差込口を介して前記第１検出片９７が差し込まれた状態では、該第１検出片９７と干渉して前記第２検出片１１１を検出センサ９８の後方差込口へ差込不能となると共に、検出センサ９８の後方差込口を介して第２検出片１１１が差し込まれた状態では、該第２検出片１１１と干渉して第１検出片９７を検出センサ９８の上方差込口へ差込不能となるよう構成されている。このように、実施例の異常検出手段では、前記第１検出片９７が作動位置にある状態では、前記第２検出片１１１の作動位置への変位が第１検出片９７で規制され、該第２検出片１１１が作動位置にある状態では、第１検出片９７の作動位置への変位が第２検出片１１１で規制されて、前記検出センサ９８により第１検出片９７および第２検出片１１１の何れかを単独で検出し得るよう構成されている。
【００５９】
(開閉弁１０２について)
次に、前記ファール球通路８０に設けられる開閉部材１００について説明する。図７、図８、図１０、図１１に示すように、前記開閉部材１００は、前記合流通路ユニット６０の本体部６１に取り付けられる支持部１０１と、前記ファール球通路８０の経路途中に位置するよう支持部１０１に揺動可能に支持され、該ファール球通路８０を閉鎖する閉鎖位置(図１６参照)および該通路８０を開放する開放位置(図１８参照)に変位可能な開閉弁１０２とから基本的に構成されている。実施例では、前記ファール球通路８０の下流端部(第２接続口７０)に前記開閉弁１０２が位置するよう前記開閉部材１００が前記合流通路ユニット６０の本体部６１に取り付けられて、該第２接続口７０を開閉弁１０２で開閉するよう構成されている。
【００６０】
前記支持部１０１は、図８、図１０等に示すように、前記ファール球通路８０を横断する長さに形成された基部１０１ａの両端部に係止爪１０１ｂを備えており、前記本体部６１に形成された係止孔１０７に係止爪１０１ｂを係止することで、ファール球通路８０を跨るよう本体部６１に取り付けられる。また、前記支持部１０１の基部１０１ａは、前記ファール球通路８０の下流から上流側に向けて上方傾斜する傾斜状部１０１ｃが形成されており、第２接続口７０側から挿入されて基部１０１ａの傾斜状部１０１ｃに当接したワイヤ等の不正具を上方へ誘導して、前記第２連通口６１ｂまで挿入されるのを防止している。また、前記支持部１０１には、前記基部１０１ａの前側に、前記開閉弁１０２を枢支する軸部１０５を支持する軸受け部１０１ｄが設けられている。
【００６１】
前記開閉弁１０２は、図１１に示すように、前記第２接続口７０を閉塞可能な略矩形板状に形成された弁本体１０３と、該弁本体１０３の上端部に沿って軸孔１０４ａが延在する軸筒部１０４とを備えており、該軸筒部１０４の軸孔１０４ａに挿通した軸部１０５を、前記支持部１０１の軸受け部１０１ｄで支持することで、開閉弁１０２が支持部１０１に対して揺動可能に支持される。このように、前記開閉弁１０２の上端部を枢支することで、前記第２接続口７０を閉塞する閉鎖位置へ向けて弁本体１０３が自重により付勢されるようになっている。なお、前記閉鎖位置にある開閉弁１０２の上端部は、前記ファール球通路８０の上面を画成する前記ベース部６２から離間するよう形成されて、該開閉弁１０２の上端部とベース部６２との隙間により開閉弁１０２の開閉動作を許容するようになっている。
【００６２】
また、前記閉鎖位置にある状態では、前記ファール球通路８０の前壁８３および後壁８２に形成された前記開放規制部８５に前記開閉弁１０２(弁本体１０３)の左右側縁部が夫々当接するようになっている(図１１、図１３〜図１７参照)。これにより、前記開閉弁１０２(弁本体１０３)を挟んで第２接続口７０側からファール球通路８０の内部(ファール球通路８０の下流から上流側)への開閉弁１０２の揺動(開放動作)を規制すると共に、開閉弁１０２を挟んでファール球通路８０の内部から第２接続口７０側への開閉弁１０２の揺動(開放動作)を許容するようになっている。すなわち、前記ファール球通路８０を通過するパチンコ球(ファール球)に押圧された開閉弁１０２が開放動作することで、該ファール球通路８０から球貯留部６５へパチンコ球(ファール球)が移動し得るようになっている。また、前記閉鎖位置にある状態では、前記開放規制部８５に当接した開閉弁１０２が、上端部から下端部に向けて球貯留部６５側(第２接続口７０側)に傾斜する傾斜姿勢で保持されており、前記ファール球通路８０を通過するパチンコ球(ファール球)に押圧された開閉弁１０２が開放動作を容易に行ない得るようになっている。
【００６３】
ここで、前記開放規制部８５は、前記ファール球通路８０の底面８１より上方側に位置する前記開閉弁１０２(弁本体１０３)の左右側縁部の全長が当接するよう形成されており(図１１、図１３〜図１７参照)、前記球貯留部６５から進入させたワイヤ等の不正具を、開閉弁１０２の左右側縁部からファール球通路８０の内部への挿入を阻止するようになっている。また、前記閉鎖位置にある開閉弁１０２(弁本体１０３)の下端部は、前記ファール球通路８０の底面８１より下方に延在して前記段差部８６に臨むよう構成されており、前記球貯留部６５から進入させたワイヤ等の不正具を、開閉弁１０２の下縁部からファール球通路８０の内部への挿入を阻止するようになっている。また、前記開閉弁１０２(弁本体１０３)の下端部は、上方から下方へ向かうにつれて前記第２接続口７０から離間する湾曲形状に形成されており、該開閉弁１０２の下端部にワイヤ等の不正具が引っ掛けられて開閉弁１０２が強制開放されるのを防止している。更に、前記閉鎖位置にある開閉弁１０２における弁本体１０３の上端部は、前記支持部１０１の基部１０１ａの下端部より上方に位置して、該弁本体１０３の上方側に形成される隙間が支持部１０１の基部１０１ａと対向位置するよう構成されている。これにより、前記球貯留部６５から進入させて弁本体１０３の上方側の隙間にワイヤ等の不正具が差し込まれたとしても、前記基部１０１ａによりファール球通路８０の内部へ不正具が進入するのを阻止し得るようになっている。
【００６４】
また、前記開閉弁１０２には、図１１、図１６〜図１８に示すように、前記軸筒部１０４から上方へ突出する揺動規制部１０６が設けられている。前記揺動規制部１０６は、前記閉鎖位置にある開閉弁１０２の開放方向に前記支持部１０１の基部１０１ａ(具体的には傾斜状部１０１ｃ)から離間するよう構成されており、該開閉弁１０２の開放動作を許容する一方で、該開閉弁１０２の開放動作に伴い揺動規制部１０６が支持部１０１の基部１０１ａに接触して開閉弁１０２の開放動作を規制するようになっている。ここで、図１８に示すように、前記ファール球通路８０を通過するパチンコ球(ファール球)に押圧された開閉弁１０２が開放位置に変位した状態では、前記揺動規制部１０６が支持部１０１の基部１０１ａから開閉弁１０２の開放方向に僅かに離間しており、この状態で開閉弁１０２の僅かな開放動作を許容するよう構成されている。すなわち、前記ファール球通路８０を通過するパチンコ球(ファール球)に押圧された開閉弁１０２が開放位置に変位した状態で開閉弁１０２の開放動作が許容されることで、該開閉弁１０２によりパチンコ球(ファール球)が噛み込まれて球詰まりするのを防止している。ここで、前記揺動規制部１０６が支持部１０１の基部１０１ａに接触して開閉弁１０２の開放動作が規制された状態(すなわち開放位置から開閉弁１０２を開放動作した状態)では、該開閉弁１０２の下端部と球貯留部６５の底面６８とがパチンコ球の直径より僅かに広い間隔で離間するよう設定されている。すなわち、前記開閉弁１０２の開放動作は、前記ファール球通路８０から１個のパチンコ球(ファール球)が１段で通過し得る程度に規制されて、当該開閉弁１０２が不必要に開放するのを規制している。
【００６５】
〔実施例の作用〕
次に、実施例に係るパチンコ機１０の作用につき説明する。
【００６６】
前記パチンコ機１０の前面側に設けられた前記操作ハンドル１８を遊技者が回転操作すると、前記球送り装置１９が作動して球受け皿１７ａに貯留されたパチンコ球が１球ずつ打球発射装置４５における発射レール４５ａの発射待機位置に送られると共に、該発射待機位置に保持されたパチンコ球が打球杆４５ｂにより打球されて、該発射レール４５ａに沿って遊技盤２０の発射通路２３へ向けて発射される。前記発射通路２３内に発射されたパチンコ球は、前記外レール２１に沿って前記遊技盤２０に画成された遊技領域２０ａ内に誘導されて、遊技釘等に接触して流下方向を変更しながら該遊技領域２０ａ内を流下する。そして、前記遊技領域２０ａを流下するパチンコ球が前記入賞装置に入賞することで、前記図柄表示装置での図柄変動演出が開始されると共に、前記発射・払出し制御装置１４０に賞球払出し信号が入力され、前記球払出装置３７が作動して所定数の賞球が払出される。また、遊技の開始時等に前記パチンコ機１０の前面側に設けられた貸球操作ボタン１７ｃを遊技者が押下した場合には、前記発射・払出し制御装置１４０に貸球払出し信号が入力され、前記球払出装置３７が作動して所定数の貸球が払出される。
【００６７】
前記球払出装置３７が作動すると、賞球または貸球としてのパチンコ球が前記球払出しユニット３５の上流側通路３６から下流側通路３８に送出されて、前記合流通路ユニット６０に流入する。そして、前記合流通路ユニット６０に流入したパチンコ球(賞球や貸球)は、前記払出し球通路７５を介して球貯留部６５へ転動し、該球貯留部６５の底面６８に沿って第１連通口６１ａから中枠１３の連絡通路５５へ誘導されて、最終的に給出口１６を介して球受け皿１７ａに払出されて、遊技に供されるようになっている。また、前記打球発射装置４５により発射されたパチンコ球の勢いが弱い場合には、前記遊技盤２０に画成された遊技領域２０ａ内までパチンコ球が到達せず、前記外レール２１に沿ってパチンコ球が逆流するファール球となる。このファール球は、前記ファール球受け部５０を介して前記合流通路ユニット６０に流入する。そして、前記合流通路ユニット６０に流入したパチンコ球(ファール球)は、前記ファール球通路８０を介して球貯留部６５へ転動し、該球貯留部６５の底面６８に沿って第１連通口６１ａから中枠１３の連絡通路５５へ誘導されて、最終的に給出口１６を介して球受け皿１７ａに払出されて、遊技に供されるようになっている。
【００６８】
ここで、前記球受け皿１７ａに貯留可能なパチンコ球の貯留量を超えると、賞球や貸球として払出されたパチンコ球や、ファール球として回収されたパチンコ球が前記合流通路ユニット６０の球貯留部６５に滞留する。そして、前記球貯留部６５にパチンコ球が滞留して前記払出し球通路７５から到来するパチンコ球(賞球や貸球)が前記第１作動部９２上に留まるようになると、該第１作動部９２の待機位置から作動位置への変位を前記検出センサ９８が検出して、前記球払出装置３７の作動が停止される。また、前記球貯留部６５にパチンコ球が滞留して前記ファール球通路８０から到来するパチンコ球(ファール球)が前記第２作動部９３上に留まるようになると、該第２作動部９３の待機位置から作動位置への変位を前記検出センサ９８が検出して、前記球払出装置３７の作動が停止される。このように、入賞口への入賞を契機として払出されるパチンコ球(賞球)や貸球操作ボタン１７ｃの操作を契機として払出されるパチンコ球(貸球)が払出し球通路７５に滞留するのに伴う第１作動部９２の作動位置への変位と、遊技領域２０ａに到達しないパチンコ球(ファール球)がファール球通路８０に滞留するのに伴う第２作動部９３の作動位置への変位とを単一の検出センサ９８で検出することで、球受け皿１７ａへのパチンコ球の払出しが停止するようにしたことで、球受け皿１７ａ(球貯留部６５)に過剰なパチンコ球が滞留するのを防止し得る。また単一の検出センサ９８で賞球や貸球の滞留とファール球の滞留とを検出するようにしたことで、検出センサ９８の設置数を増やす必要がなく、コスト削減を図り得ると共に、省スペース化を図り得る。
【００６９】
また、前記合流通路ユニット６０では、球貯留部６５に払出し球通路７５が接続する第１接続口６９よりも、該球貯留部６５にファール球通路８０が接続する第２接続口７０を、当該球貯留部６５が球受け皿１７ａに連通する第１連通口６１ａに近接位置するよう設けてある。これにより、球貯留部６５に受入れ可能なパチンコ球数(賞球数や貸球数)を多くすることができ、賞球や貸球の払出しが滞るのを防止し得る。また、ファール球の滞留を速やかに検出できるから、球受け皿１７ａにおける過剰なパチンコ球の滞留を効果的に防止し得る。
【００７０】
そして、前記第１作動部９２および第２作動部９３の夫々を単一の揺動部材９１に設けたことで、合流通路ユニット６０の構成を単純化してコスト削減を図り得ると共に、該合流通路ユニット６０をコンパクトにして省スペース化を図り得る。また、前記賞球や貸球の滞留を検出する第１作動部９２を、前記揺動部材９１における揺動軸９５側に設けることで、払出し球通路７５から到来するパチンコ球(賞球や貸球)が第１作動部９２を通過する際に、該第１作動部９２が待機位置から作動位置に変位し難くできることから、球貯留部６５にパチンコ球が滞留していない正常な状態で払出されるパチンコ球(賞球や貸球)が第１作動部９２上を通過する際に、前記検出センサ９８が誤検出するのを防止し得る。また、前記ファール球の滞留を検出する第２作動部９３を、前記揺動部材９１における揺動軸９５から離間する端部に設けることで、ファール球の滞留時における第２作動部９３の応答性が高くなり、ファール球通路８０へのパチンコ球(ファール球)の滞留を素早く検出することが可能となる。
【００７１】
また、実施例のファール球通路８０には、前記球貯留部６５に接続する第２接続口７０(ファール球通路８０の経路途中)に、ファール球通路８０を開閉する開閉弁１０２が設けられて、当該ファール球通路８０を流下するパチンコ球に押圧された場合に限り開閉弁１０２が開放動作し得るよう構成してある。これにより、前記球貯留部６５に滞留したパチンコ球がファール球通路８０に進入(逆流)するのを防止できる。また、前記開閉弁１０２は、前記第２作動部９３よりもファール球通路８０の下流側に位置するよう配置されているから、球貯留部６５に滞留したパチンコ球により第２作動部９３が誤作動することはなく、ファール球の発生に伴いファール球通路８０にパチンコ球(ファール球)の滞留が生じたことを第２作動部９３で正確に検出することが可能となる。また、第２作動部９３の下流側に開閉弁１０２が位置することで、球貯留部６５に滞留したパチンコ球が第２作動部９３に接触して第２作動部９３が損傷することも防止できる。更に、前記開閉弁１０２は自重によりファール球通路８０を閉鎖する閉鎖位置へ向けて付勢されるよう構成してあるから、該開閉弁１０２を作動する機構を別途設ける必要がなく、コスト削減を図り得ると共に、開閉弁１０２の開閉構造をコンパクトにして省スペース化を図り得る。
【００７２】
更に、前記開閉弁１０２の弁本体１０３は、前記第２接続口７０を閉塞可能な略矩形板状に形成されると共に、球貯留部６５側からファール球通路８０側への開放動作を規制するよう構成されている。このため、前記球受け皿１７ａの給出口１６から球貯留部６５内にワイヤ等の不正具を挿入して開閉弁１０２を押圧された場合に、該開閉弁１０２が開放位置に変位することはない。従って、球貯留部６５側から差し込まれた不正具がファール球通路８０を介して遊技盤２０まで挿入されるのを確実に防止できる。また、前記開閉弁１０２の外周部から不正具をファール球通路８０へ進入させるよう試みたとしても、前記段差部８６、開放規制部８５および開閉部材１００の基部１０１ａにより阻止されるから、該ファール球通路８０を介した不正具の挿入による不正行為を防止することが可能となる。また前述したように、前記第２作動部９３の下流側に開閉弁１０２が位置しているから、不正具を利用した不正行為が試みられた際に第２作動部９３が損傷するのを防止し得ると共に、当該第２作動部９３自体に対する不正行為や悪戯を開閉弁１０２で防止することができる。
【００７３】
ところで、前記前枠１４が中枠１３に対して開放された状態では、前記球払出装置３７の作動に伴う賞球や貸球が払出されたり、ファール球が発生したりして、中枠基体部３０の連絡通路５５を通過したパチンコ球が前記球受け皿１７ａに供給されることなく零れ落ちる虞がある。ここで、前記中枠１３(中枠基体部３０)の前面には、前記異常検出手段９０の第３作動部１１０が露出するよう構成されており、遊技に供される前枠１４が閉鎖した通常の状態では、該第３作動部１１０が前枠１４(前枠基体部１５)に押圧されて、前記異常検出手段９０が備えた検出センサ９８の後方差込口から抜き出された待機位置に第３作動部１１０の第２検出片１１１が保持されるのに対し、遊技を行なうには不正常な前枠１４が開放した状態にされると、前記バネ部材１１３の付勢により第３作動部１１０が前方へ移動して、検出センサ９８の後方差込口に第２検出片１１１が差し込まれて検出されるようになる。このように、バネ部材１１３により第３作動部１１０を中枠１３(中枠基体部３０)の前面に突出する作動位置へ付勢することで、異常検出手段９０から分離独立した前枠１４の開閉動作を該異常検出手段９０で検出することができる。そして、前記異常検出手段９０が備える検出センサ９８が第３作動部１１０の第２検出片１１１を検出するのに伴って前記球払出装置３７の払出しが停止されるから、前記前枠１４の開放によるパチンコ球の零れ落ちを防止し得る。しかも、前枠１４が開放した不正常な状態では、前記球払出装置３７の作動が停止されるから、該前枠１４を開放して不正行為が行われたとしても、不正なパチンコ球の払出しが行われるのを確実に防止し得る。
【００７４】
このように、前記異常検出手段９０は、前記中枠１３に対する前枠１４の開閉に応じて第３作動部１１０が作動位置および待機位置に変位するよう構成されると共に、前記球受け皿１７ａに対するパチンコ球を供給可能な状態および供給不能な状態(満杯状態)への変化に応じて第１検出片９７が作動位置および待機位置に変位するよう構成されて、該第１検出片９７(すなわち第１作動部９２または第２作動部９３)の作動位置への変位および第２検出片１１１(すなわち第３作動部１１０)の作動位置への変位を単一の検出センサ９８で検出するようになっているから、個別に検出センサを設ける構成に較べてコスト削減を図り得ると共に、省スペース化を図り得る。また、前記第１検出片９７および第２検出片１１１の夫々は、作動位置および待機位置の間を独立して変位し得るよう構成されているから、中枠１３に対する前枠１４の開放および球受け皿１７ａの満杯状態を、個別に検出することができる。更に、前記検出センサ９８が第１検出片９７または第２検出片１１１を検出した際に出力される共通の検出信号に基づいて、主制御装置が前記球払出装置３７の払出しを停止するよう作動制御するから、前枠１４を開放してパチンコ球の払出しを不正に行なう不正行為が行われるのを防止し得ると共に、球受け皿１７ａに過剰に供給されたパチンコ球に起因した球詰まり等の不具合の発生を確実に防止し得る。
【００７５】
そして、正常な遊技が行われる状態において前記第１検出片９７および第２検出片１１１の夫々が常には待機位置に保持されて、前枠１４の開放に伴って第２検出片１１１が作動位置に変位すると共に、球受け皿１７ａへのパチンコ球の滞留に伴って第１検出片９７が作動位置に変位することで、前枠１４の開放や球受け皿１７ａへのパチンコ球の滞留といった現象を確実に検出することができる。しかも、前記第１検出片９７および第２検出片１１１の何れか一方が作動位置に変位した状態では、他方の検出片の作動位置への変位が規制されるから、該第１検出片９７および第２検出片１１１が検出センサ９８に重複して検出されるのを防止できる。しかも、先に作動位置にあった第１検出片９７または第２検出片１１１が待機位置へ変位すると、他方の検出片が作動位置へ速やかに変位することができるから、第１検出片９７および第２検出片１１１の状態を確実に検出センサ９８で検出することができる。
【００７６】
そして、前記異常検出手段９０は、合流通路ユニット６０のケースとなる本体部６１に配設された１つの検出センサ９８に対して、複数の検出片９７,１１１を夫々異なる方向から近接および離間移動するよう構成することで、該複数の検出片９７,１１１が作動位置および待機位置へ変位するのを１つの検出センサ９８で検出することができ、コスト削減を図り得ると共に省スペース化を図り得る。また、受光部９８ａと発光部９８ｂとを対向させた検出センサ９８に対して直交方向から第１検出片９７および第２検出片１１１が移動するよう構成したことで、第１検出片９７および第２検出片１１１が作動位置および待機位置を変位する過程で相互に干渉するのを防止でき、該検出センサ９８の誤検出を防止し得る。
【００７７】
(別実施例)
次に、前記異常検出手段の別の実施例を説明する。なお、別実施例に係る異常検出手段において、前述の実施例において説明した異常検出手段９０と同一の機能を有する構成・部材に関しては同一の符号を付して詳細な説明は省略し、異なる部分についてのみ説明する。
【００７８】
別実施例に係る異常検出手段９０は、図２０に示すように、払出し球通路７５へのパチンコ球(賞球や貸球)の滞留に伴い待機位置から作動位置に変位する第１作動部９２を備えた第１部材１２０と、ファール球通路８０へのパチンコ球(ファール球)の滞留に伴い待機位置から作動位置に変位する第２作動部９３を備えた第２部材１２５と、中枠１３に対する前記前枠１４の開放状態に伴い作動位置に変位する第３部材１３０とを備えている。また、前記検出センサ９８は、前記受光部９８ａと発光部９８ｂとの間の隙間を上方、下方および側方へ開口させた姿勢で前記本体部６１(機構設置部６４)に設置されている。
【００７９】
前記第１部材１２０は、前記第１挿入孔７１に第１作動部９２を臨ませた状態で上下移動し得るよう前記合流通路ユニット６０(機構設置部６４)に配設されると共に、該第１作動部９２の側方へ延出するよう設けられた延出部１２１に対して下方へ延出する第１検出部１２２が設けられており、該第１部材１２０(第１作動部９２)が待機位置から作動位置へ変位した際に、該第１検出部１２２が前記検出センサ９８における上方開口を介して受光部９８ａと発光部９８ｂとの間に差し込まれるよう構成されている。すなわち、前記第１作動部９２上にパチンコ球が滞留して作動位置に変位することで、該第１検出部１２２が検出センサ９８により検出されて、前記球払出装置３７による賞球や貸球の払出しが停止されるよう構成されている。なお、前記第１部材１２０は、バネ等の付勢手段１２３により待機位置へ向けて付勢されており、常には前記第１検出部１２２が前記検出センサ９８から退避して位置するよう構成されている。
【００８０】
また、前記第２部材１２５は、前記第２挿入孔８４に第２作動部９３を臨ませた状態で上下移動し得るよう前記合流通路ユニット６０(機構設置部６４)に配設されると共に、該第２作動部９３の下方へ延出するよう第１作動杆１２６が設けられると共に、前記検出センサ９８における側方開口を介して受光部９８ａと発光部９８ｂとの間に差し込み得るようスライド移動可能な第２検出部１２７を備えている。また、前記第２部材１２５には、前記第１作動杆１２６および第２検出部１２７を連繋接続する第１アーム部１２８を備えており、該第２部材１２５(第２作動部９３)が待機位置から作動位置へ変位した際に、該第２検出部１２７が検出センサ９８における側方開口(側方差込口)を介して受光部９８ａと発光部９８ｂとの間に差し込まれるよう構成されている。なお、前記第２部材１２５は、バネ等の付勢手段１２９により待機位置へ向けて付勢されており、常には前記第２検出部１２７が前記検出センサ９８から退避して位置するよう構成されている。
【００８１】
また、前記第３部材１３０は、前記中枠１３(中枠基体部３０)の貫通孔３０ａに第３作動部１１０を挿通した状態で前後移動し得るよう前記合流通路ユニット６０(機構設置部６４)の筒状ホルダ１１２に配設されると共に、前記検出センサ９８における下方開口を介して受光部９８ａと発光部９８ｂとの間に差し込み得るようスライド移動可能な第３検出部１３２を備えている。また、前記第３部材１３０には、前記第３作動部１１０および第３検出部１３２を連繋接続する第２アーム部１３３を備えており、該第３部材１３０(第３作動部１１０)が待機位置から作動位置へ変位した際に、該第３検出部１３２が検出センサ９８における下方開口(下方差込口)を介して受光部９８ａと発光部９８ｂとの間に差し込まれるよう構成されている。なお、前記第３部材１３０は、バネ等の付勢手段１１３により作動位置へ向けて付勢されており、中枠１３に対して前枠１４を閉鎖した通常の状態において前記第３検出部１３２が前記検出センサ９８から退避して位置するよう構成されている。
【００８２】
このように、別実施例に係る異常検出手段９０のように、第１作動部９２と第２作動部９３と第３作動部１１０とを夫々独立した部材に設けるようにしても、前述した実施例と同様の作用効果を得ることができる。また、前記第１作動部９２、第２作動部９３および第３作動部１１０の夫々が作動位置および待機位置の間を独立して変位することで、払出し球通路７５にパチンコ球(賞球や貸球)が滞留した状態、ファール球通路８０にパチンコ球(ファール球)が滞留した状態および前枠１４が開放した状態を個別に検出することが可能となる。また、第１作動部９２が待機位置から作動位置へ変位する際の第１検出部１２２の移動方向と、第２作動部９３が待機位置から作動位置へ変位する際の第２検出部１２７の移動方向とを交差(直交)させることで、第１検出部１２２または第２検出部１２７が検出センサ９８で検出された状態で、他の検出部に押圧されたとしても、検出センサ９８で検出されている検出部が押し出されることはなく、検出センサ９８による誤検出が発生するのを防止できる。また、第２作動部９３が待機位置から作動位置へ変位する際の第２検出部１２７の移動方向と、第３作動部１１０が待機位置から作動位置へ変位する際の第３検出部１３２の移動方向とを交差(直交)させることで、第２検出部１２７または第３検出部１３２が検出センサ９８で検出された状態で、他の検出部に押圧されたとしても、検出センサ９８で検出されている検出部が押し出されることはなく、検出センサ９８による誤検出が発生するのを防止できる。また、前記第１〜第３作動部９２,９３,１１０の何れかが検出センサ９８で検出される作動位置にある状態では、他の作動部の作動位置への変位が規制されるから、第１〜第３作動部９２,９３,１１０が重複して検出されるのを防止できる。しかも、作動位置にあった何れかの作動部が待機位置へ変位することで、他の作動部が作動位置へ変位し得るから、第１〜第３作動部９２,９３,１１０の状態を確実に検出センサ９８で検出することができる。
【００８３】
(変更例)
なお、遊技機の構成としては、実施例のものに限らず種々の変更が可能であり、その一例を以下に示す。
【００８４】
(１)  実施例では、賞球が払出される賞球払出し通路(払出し球通路)と、ファール球を回収するファール球回収通路(ファール球通路)とを合流部(球貯留部)において合流させるよう構成したが、これに限らず、該賞球払出し通路(払出し球通路)およびファール球回収通路(ファール球通路)の夫々が球受け皿に個別に連通するよう構成してもよい。
(２)  実施例では、賞球払出し通路(払出し球通路)およびファール球回収通路(ファール球通路)の夫々が同じ球受け皿に連通するよう構成したが、これに限られるものではなく、球受け皿を複数設けて、賞球払出し通路(払出し球通路)およびファール球回収通路(ファール球通路)が異なる球受け皿に連通するよう構成することもできる。具体的には、遊技機前面側に上下の球受け皿を設けて、上側の球受け皿に賞球払出し通路(払出し球通路)を連通させ、下側の球受け皿にファール球回収通路(ファール球通路)を連通させる構成とすることもできる。
(３)  実施例では、第１作動部および第２作動部の作動位置への変位を単一の検出手段で検出するよう構成したが、各作動部の作動位置への変位を個別に検出するよう構成することもできる。また、検出手段としては、実施例に示したフォトインタラプタに限定されるものではなく、作動部の作動位置への変位を検出可能な検出手段であれば、各種近接センサやマイクロスイッチ、その他従来公知の各種手段を採用することができる。
(４)  実施例では、第１作動部および第２作動部を揺動部材に形成するようにしたが、上下方向にスライドする部材に形成するようにしてもよい。すなわち、待機位置および作動位置に変位し得る形態であればよい。
(５)  実施例では、ファール球回収通路(ファール球通路)の球出口を、賞球払出し通路(払出し球通路)の球出口よりも合流部(球貯留部)が球受け皿へ連通する連通口に近接位置するよう構成したが、逆の位置関係で形成することもでき、また両球出口を上下の位置関係に形成することもできる。
(６)  実施例では、ファール球回収通路(ファール球通路)の球出口に開閉弁を配置したが、これに限られるものではなく、ファール球回収通路(ファール球通路)の球入口側に開閉弁を配置してもよく、ファール球回収通路の経路途中の任意位置に開閉弁を設けることができる。
(７)  開閉弁の開放動作を規制する開放規制部は、実施例のように、開閉弁の左右側縁に当接するものに限られるものではなく、開閉弁の下端部に当接するよう形成してもよく、該開閉弁を挟んだファール球回収通路の下流から上流側への開放動作を規制し得る位置および形態で開放規制部を形成することができる。
(８)  実施例では、開閉弁を自重により閉鎖位置に向けて付勢されるよう構成したが、これに限られるものではなく、バネ等の付勢手段により閉鎖位置へ向けて付勢されるよう構成してもよい。
(９)  実施例では、ファール球回収通路(ファール球通路)へのファール球の滞留により作動する作動部(第２作動部)より下流側に位置するよう開閉弁を設置したが、該作動部(第２作動部)の上流側に開閉弁を設置しても、パチンコ球の逆流や不正具の挿入を阻止することが可能である。
(１０)  実施例では、開閉弁を板状に形成したが、これに限られるものではない、すなわち、遊技球の逆流を防止する構成であれば、遊技球が通過不能な開口が開設された形態であってもよく、同様に不正具の挿入を阻止する構成であれば、当該不正具を挿入不能な開口が開設された形態とすることもできる。
(１１)  実施例では、開閉弁を１つ設けた形態を示したが、複数の開閉弁を設けるようにしてもよい。また、開閉弁を複数に分割して、当該複数の開閉弁によりファール球回収通路(ファール球通路)を閉鎖するようにしてもよい。
(１２)  実施例では、開閉弁の上端部を枢支するよう構成したが、側部を枢支するよう構成することも可能である。
(１３)  実施例では、球受け皿を備えた前枠を開閉部材として、該前枠の開閉を異常検出手段で検出するよう構成したが、これに限られるものではなく、本体枠に対して開閉可能な独立した球皿部材を開閉部材として設けて、該球皿部材の開閉を異常検出手段で検出することも可能である。
(１４)  実施例では、開閉部材の開閉に伴って第３作動部が前後方向にスライド移動することで作動位置および待機位置に変位するよう構成したが、これに限らず第３作動部を揺動させるよう構成してもよく、本体枠に対する前記開閉部材の開放状態に対応した作動位置および該本体枠に対する開閉部材の閉鎖状態に対応する待機位置に変位するよう構成されていればよい。
(１５)  実施例では、前記第１〜第３作動部の何れかが作動位置にある状態では、他の作動部の作動位置への変位が規制されるよう構成したが、第１〜第３検出部の夫々が同時に作動位置に変位し得るよう構成することもできる。具体的には、実施例の検出センサにおける受光部および発光部の間隔を、複数の検出部を同時に差し込み得るよう拡げることで実現可能である。
(１６)  実施例では、揺動部材(第１作動部および第２作動部)に設けた第１検出片および第３作動部に設けた第２検出片が直交する方向に移動するよう構成したが、これに限られるものではなく、各検出片(検出部)の作動位置から待機位置への移動方向を夫々異ならせることで、作動位置から待機位置へ移動する検出片同士が干渉するのを効果的に防止し得る。例えば、第１検出片を作動位置から待機位置へ直線的に移動するよう構成すると共に、第２検出片が作動位置から待機位置へ向けて第１検出片の移動方向と逆向きに移動するよう構成することが可能である。別実施例のように、第１〜第３作動部の夫々に対応して検出部を独立して設ける構成にあっても同様で、各作動部の検出部の移動方向が直交する必要は必ずしもない。
(１７)  実施例では、制御手段として主制御装置および発射・払出し制御装置を遊技機が少なくとも備える構成を示したが、これに限られるものではなく、単一の制御装置のみを備える構成であってもよい。また、複数の制御装置を備える構成の場合にあっては、各制御装置の機能として実施例に示したものに限られるものではなく、例えば、発射制御装置と払出し制御装置とを個別に備えてもよい。
(１８)  実施例では、遊技機としてパチンコ機を例示して説明したが、これに限られるものではなく、アレンジボール機やピンボール機等の遊技媒体として遊技球を用いる各種遊技機に採用し得る。
【００８５】
また、実施例からは例えば以下の技術的思想を把握することが可能である。
【００８６】
請求項１〜４に記載の遊技機に関して、
前記検出手段(98)は、異なる３方向に開口した開口部を有し、前記待機位置から作動位置へ変位した第１〜第３作動部(92,93,110)に対応する検出部(97,111,122,127,132)が検出手段(98)の異なる開口部から臨んで検出されるよう構成されたことを要旨とする。
このように、待機位置から作動位置へ変位した第１〜第３作動部に対応した検出部が検出手段に設けられた異なる開口部から臨んで検出されるようにすることで、第１〜第３作動部の相互の干渉を防止し得る。
【００８７】
請求項１〜４に記載の遊技機に関して、
前記賞球払出し通路(75)の球出口(69)およびファール球回収通路(80)の球出口(70)が開口すると共に前記球受け皿(17a)に連通する合流部(65)を備え、該賞球払出し通路(75)を通過した遊技球およびファール球回収通路(80)を通過した遊技球が合流部(65)を介して球受け皿に案内されると共に、
前記ファール球回収通路(80)の球出口(70)は、前記賞球払出し通路(75)の球出口(69)よりも前記合流部(65)が球受け皿(17a)へ連通する連通口(61a)に近接位置するよう設けられたことを要旨とする。
このように、ファール球回収通路の球出口を、賞球払出し通路の球出口よりも合流部が球受け皿へ連通する連通口に近接位置するよう設けることで、受入れ可能な賞球数を多くすることができ、賞球払出しが滞るのを防止し得る。また、ファール球の発生を速やかに検出できるから、球受け皿における過剰な遊技球の滞留を効果的に防止し得る。
【００８８】
請求項１〜４に記載の遊技機に関して、
前記第１作動部(92)および第２作動部(93)は、単一の可動部材(91)に設けられると共に、該第１作動部(92)または第２作動部(93)が作動位置へ変位した際に、前記検出手段(98)で検出される検出部(97)が可動部材(91)に形成されたことを要旨とする。
このように、第１作動部および第２作動部を単一の可動部材に設けることで、装置構成を単純化してコスト削減や省スペース化を図り得る。
【符号の説明】
【００８９】
１３  中枠(本体枠)
１４  前枠(開閉部材)
１７ａ  球受け皿
２０  遊技盤
２０ａ  遊技領域
７５  払出し球通路(賞球払出し通路)
８０  ファール球通路(ファール球回収通路)
９２  第１作動部
９３  第２作動部
９８  検出センサ(検出手段)
１１０  第３作動部
【図１】
0005656807.tif 000002
【図２】
0005656807.tif 000003
【図３】
0005656807.tif 000004
【図４】
0005656807.tif 000005
【図５】
0005656807.tif 000006
【図６】
0005656807.tif 000007
【図７】
0005656807.tif 000008
【図８】
0005656807.tif 000009
【図９】
0005656807.tif 000010
【図１０】
0005656807.tif 000011
【図１１】
0005656807.tif 000012
【図１２】
0005656807.tif 000013
【図１３】
0005656807.tif 000014
【図１４】
0005656807.tif 000015
【図１５】
0005656807.tif 000016
【図１６】
0005656807.tif 000017
【図１７】
0005656807.tif 000018
【図１８】
0005656807.tif 000019
【図１９】
0005656807.tif 000020
【図２０】
0005656807.tif 000021